【事件の表示】
　国際登録第７８７９８９号に係る国際商標登録出願の拒絶査定に対する審判事件について、次のとおり審決する。
【結論】
　原査定を取り消す。
　本願商標は、登録すべきものとする。
【理由】
１　本願商標
　本願商標は、別掲（１）のとおりの構城よりなり、第７類に属する国際登録において指定した商品を指定商品として、２００２年（平成１４年）４月１８日Ｇｅｒｍａｎｙにおいてした商標登録出願に基づきパリ条約第４条による優先権を主張し、同年８月３０日を国際登録の日とするものである。
　そして、指定商品については、原審における２００３年（平成１５年）１１月１０日付け手続補正書により、第７類「Ｐｏｗｅｒ　ｔｏｏｌｓ　ｆｏｒ　ｍｅｔａｌ　ｗｏｒｋｉｎｇ，ｆｏｒ　ｗｏｏｄ　ｗｏｒｋｉｎｇ，ｆｏｒ　ｓｔｏｎｅ　ｗｏｒｋｉｎｇ　ａｎｄ　ｃｏｎｃｒｅｔｅ　ｗｏｒｋｉｎｇ；ｄｒｉｌｌｓ，ｃｈｉｓｅｌｓ，ｃｈｕｃｋｓ，ｈｏｌｌｏｗ　ｃｏｒｅ　ｃｕｔｔｅｒｓ，ｄｒｉｌｌ　ｈｏｌｄｅｒｓ　ａｓ　ｐａｒｔｓ　ｏｒ　ａｃｃｅｓｓｏｒｉｅｓ　ｆｏｒ　ｔｈｅ　ａｆｏｒｅｓａｉｄ　ｇｏｏｄｓ；ｐａｒｔｓ　ｏｆ　ｐｏｗｅｒ　ｔｏｏｌｓ　ｆｏｒ　ｍｅｔａｌ　ｗｏｒｋｉｎｇ，ｆｏｒ　ｗｏｏｄ　ｗｏｒｋｉｎｇ，ｆｏｒ　ｓｔｏｎｅ　ｗｏｒｋｉｎｇ　ａｎｄ　ｃｏｎｃｒｅｔｅ　ｗｏｒｋｉｎｇ．」となったものである。
２　原査定の拒絶の理由
　原査定は、「本願商標は、下記３に示した登録商標と類似するものであり、同一又は類似の商品に使用するものであるから、商標法第４条第１項第１１号に該当する。」旨認定、判断し、本願を拒絶したものである。
３　引用商標
　原査定において、本願の拒絶の理由に引用した登録商標は、以下のとおりである。
　（１）登録第１１９４４０７号商標（以下「引用商標１」という。）は、「プロ」の文字を横書きしてなり、昭和４６年１０月２６日に登録出願、第９類に属する商標登録原簿に記載のとおりの商品を指定商品として、同５１年４月１２日に設定登録、その後、同６１年５月２１日、平成８年３月２８日及び同１８年２月１４日の３回にわたる商標権存続期間の更新登録、そして、指定商品については、平成１９年４月２５日に、第７類「金属加工機械器具，鉱山機械器具，土木機械器具，荷役機械器具，漁業用機械器具，化学機械器具，繊維機械器具，食料加工用又は飲料加工用の機械器具，製材用・木工用又は合板用の機械器具，パルプ製造用・製紙用又は紙工用の機械器具，ミシン，農業用機械器具，靴製造機械，製革機械，たばこ製造機械，ガラス器製造機械，塗装機械器具，包装用機械器具，陶工用ろくろ，プラスチック加工機械器具，半導体製造装置，ゴム製品製造機械器具，石材加工機械器具，動力機械器具（陸上の乗物用のものを除く。），陸上の乗物用の動力機械の部品，風水力機械器具，機械式の接着テープディスペンサー，自動スタンプ打ち器，業務用電気洗濯機，修繕用機械器具，機械式駐車装置，乗物用洗浄機，業務用攪はん混合機，業務用皮むき機，業務用切さい機，業務用食器洗浄機，業務用電気式ワックス磨き機，業務用電気掃除機，芝刈機，電動式カーテン引き装置，廃棄物圧縮装置，廃棄物破砕装置，機械要素（陸上の乗物用のものを除く。）」、第９類「アーク溶接機，金属溶断機，電気溶接装置，オゾン発生器，電解槽，検卵器，金銭登録機，硬貨の計数用又は選別用の機械，作業記録機，写真複写機，手動計算機，製図用又は図案用の機械器具，タイムスタンプ，タイムレコーダー，パンチカードシステム機械，票数計算機，ビリングマシン，郵便切手のはり付けチェック装置，自動販売機，ガソリンステーション用装置，駐車場用硬貨作動式ゲート，救命用具，消火器，消火栓，消火ホース用ノズル，スプリンクラー消火装置，火災報知機，ガス漏れ警報器，盗難警報器，保安用ヘルメット，鉄道用信号機，乗物の故障の警告用の三角標識，発光式又は機械式の道路標識，潜水用機械器具，業務用テレビゲーム機，電動式扉自動開閉装置，乗物運転技能訓練用シミュレーター，運動技能訓練用シミュレーター」及び第１１類「乾燥装置，換熱器，蒸煮装置，蒸発装置，蒸留装置，熱交換器，牛乳殺菌機，工業用炉，原子炉，飼料乾燥装置，ボイラー，暖冷房装置，冷凍機械器具，業務用衣類乾燥機，美容院用又は理髪店用の機械器具（いすを除く。），業務用加熱調理機械器具，業務用食器乾燥機，汚水浄化槽，し尿処理槽，廃水処理装置，業務用ごみ焼却炉，太陽熱利用温水器，業務用浄水器，その他の浄水装置，水道用栓，タンク用水位制御弁，パイプライン用栓」とする書換登録がされたものである。
　（２）登録第１７９８５１２号商標（以下「引用商標２」という。）は、「ＰＲＯ」の文字を横書きしてなり、昭和５５年７月３０日に登録出願、第９類に属する商標登録原簿に記載のとおりの商品を指定商品として、同６０年８月２９日に設定登録、その後、平成７年１１月２９日及び同１７年５月１７日の２回にわたる商標権存続期間の更新登録、そして、指定商品については、同年１１月３０日に、第７類「金属加工機械器具，鉱山機械器具，土木機械器具，荷役機械器具，漁業用機械器具，化学機械器具，繊維機械器具，食料加工用又は飲料加工用の機械器具，製材用・木工用又は合板用の機械器具，パルプ製造用・製紙用又は紙工用の機械器具，ミシン，耕うん機械器具（手持ち工具に当たるものを除く。），栽培機械器具，収穫機械器具，植物粗製繊維加工機械器具，飼料圧搾機，飼料裁断機，飼料配合機，飼料粉砕機，牛乳ろ過器，搾乳機，育雛器，ふ卵器，蚕種製造用又は養蚕用の機械器具，靴製造機械，製革機械，たばこ製造機械，ガラス器製造機械，塗装機械器具，包装用機械器具，陶工用ろくろ，プラスチック加工機械器具，半導体製造装置，ゴム製品製造機械器具，石材加工機械器具，動力機械器具（陸上の乗物用のもの及び「水車・風車」を除く。），陸上の乗物用の動力機械の部品，水車，風車，風水力機械器具，業務用電気洗濯機，修繕用機械器具，機械式駐車装置，乗物用洗浄機，業務用撹はん混合機，業務用皮むき機，業務用食器洗浄機，業務用切さい機，業務用電気式ワックス磨き機，業務用電気掃除機，芝刈機，電動式カーテン引き装置，廃棄物圧縮装置，廃棄物破砕装置，軸・軸受・軸継ぎ手・ベアリング（機械要素）（陸上の乗物用のものを除く。），動力伝導装置（機械要素）（陸上の乗物用のものを除く。），緩衝器及びばね（機械要素）（陸上の乗物用のものを除く。），制動装置（機械要素）（陸上の乗物用のものを除く。），バルブ（機械要素）（陸上の乗物用のものを除く。）」及び第１１類「乾燥装置，換熱器，蒸煮装置，蒸発装置，蒸留装置，熱交換器，牛乳殺菌機，工業用炉，原子炉，飼料乾燥装置，ボイラー，暖冷房装置，冷凍機械器具，業務用衣類乾燥機，美容院用又は理髪店用の機械器具（いすを除く。），業務用加熱調理機械器具，業務用食器乾燥機，汚水浄化槽，し尿処理槽，業務用ごみ焼却炉，太陽熱利用温水器，浄水装置，水道用栓，タンク用水位制御弁，パイプライン用栓」とする書換登録がされたものである。
　（３）登録第２５４８３８１号の２商標（以下「引用商標３」という。）は、「ＳＤＳ」の文字を横書きしてなり、平成２年１０月３日に登録出願、第７類に属する商標登録原簿に記載のとおりの商品を指定商品として、同５年６月３０日に設定登録、その後、同１５年１月２８日に商標権存続期間の更新登録、そして、指定商品については、同１７年３月１１日に、第７類「製材用・木工用又は合板用の機械器具、石材加工機械器具」とする分割移転の登録がされたものである。
　（４）登録第４１６８６２０号商標（以下「引用商標４」という。）は、別掲（２）のとおりの構成よりなり、平成５年１１月１２日に登録出願、第７類「電気ドリル，電気ハンマードリル，電気破つりハンマー」を指定商品として、同１０年７月１７日に設定登録されたものである。
４　当審の判断
　まず、引用商標３及び４の商標登録原簿を徴するに、両商標の商標権は、本願商標の出願人に譲渡され、引用商標３は平成１７年３月１１日及び引用商標４は同年１０月１１日に、登録されたものである。
　したがって、本願商標は、引用商標３及び４について、商標法第４条第１項第１１号に該当しないものとなった。
　次に、本願商標と引用商標１及び２の類否についてみるに、本願商標は、別掲１のとおりの構成よりなるところ、その構成中の「ＰＲＯ」の文字部分は、「専門家。職業としてそれを行う人。プロ」の意を表す英語「ｐｒｏｆｅｓｓｉｏｎａｌ」の略語「ｐｒｏ」の大文字表示であり、これに由来する外来語「プロ」としても我が国においては広く知られており、本願指定商品との関係においても、「プロ用の工具」であることを表示するものとして普通に使用されている語である。
　このことは、例えば、以下のインターネット情報によっても窺える。
　ａ「Ｎａｔｉｏｎａｌ」のホームページにおいて、「商品一覧＞プロ用電動工具＞充電パワーカッター＞ＥＺ３５３０ハンガーレールを約３秒で切断。電線管外形２５ｍｍを約２秒で切断。ＥＺ３５３０ＸＭ＜本体・金工刃＞希望小売価格３０，２４０円（税抜２８，８００円）●金工刃（φ１３５）●六角レンチ（対辺４ｍｍ）」との記載がある。（ｈｔｔｐ：／／ｎａｔｉｏｎａｌ．ｊｐ／ｐｏｗｅｒｔｏｏｌ／ｓｐｃ／ｅｚ３５３０／ｉｎｄｅｘ．ｈｔｍｌ）、
　ｂ「プロショップ　Ｚｈｉｍｉｚｕ」のホームページにおいて、「建築資材・大工道具・プロ仕様工具など現場用品の専門店」との記載がある。（ｈｔｔｐ：／／ｓｔｏｒｅ．ｙａｈｏｏ．ｃｏ．ｊｐ／ｐｒｏ−ｓｈｉｍｉｚｕ／ｎａｔｉｏｎａｌ−ｅ８．ｈｔｍｌ）
　ｃ「Ｐ−ＴＯＯＬＳ．ＣＯＭ　ヤフー店（株式会社ピーツールズ）」のホームページにおいて、「●プロツールの特性を使いやすくバランスさせ、ハードな作業も難なくこなす、プロツールのＤＮＡ。・・・リョービ電動工具　充電式インパクトドライバ（ＤＩＹ）ＢＩＤ−１２２６定価２３，７３０円（税込）特価１５，４３５円（税込）」との記載がある。（ｈｔｔｐ：／／ｓｔｏｒｅ．ｙａｈｏｏ．ｃｏ．ｊｐ／ｐｔｏｏｌｓ／ｂｉｄ−１２２６．ｈｔｍｌ）
　ｄ「有限会社チハラ金物店」のホームページにおいて、「ＢＯＳＣＨボッシュ電気かんなＧＨＯ１０−８２　替刃式のかんなです。切削幅８２ｍｍ。軽量コンパクト。プロ仕様のモデルですが、ＤＩＹ商品よりもお徳な価格でご提供！！定価２５，２００円（税抜き２４．０００円）」との記載がある。（ｈｔｔｐ：／／ｗｗｗ．ｄ−ｍａｌｌ．ｏｒｇ／ｋｏｄａｍａ／ｃｈｉｈａｒａ／００１．ｈｔｍｌ）
　ｅ「神沢鉄工株式会社」のホームページにおいて、Ｋ−８３６　Ｌ形ドライバーＰＲＯ−７５　￥６，０５０（￥６，３５２）（ｈｔｔｐ：／／ｗｗｗ．ｋａｎｚａｗａ．ｃｏ．ｊｐ／ｃａｔａｌｏｇ／ｐｒｏｄｕｃｔｓ／ｐｒｏ８３６．ｈｔｍｌ）。
　以上のとおり、「ＰＲＯ」の文字部分は、本願指定商品との関係において、商品の用途、品質を表示する語であり、自他商品の識別機能を果たし得ないか極めて希薄な部分といわなければならない。
　そうとすれば、本願商標の構成中自他商品の識別機能を果たす部分は、「ＳＤＳ」の文字部分といえるから、本願商標よりは、その構成文字全体に相応し「エスデイエスプロ」の称呼、及び「ＳＤＳ」の文字に相応し「エスデイエス」の称呼をも生ずるものといわなければならない。
　したがって、本願商標より「プロ」の称呼をも生ずるとし、そのうえで本願商標が引用商標１及び２と称呼上類似し、商標法第４条第１項第１１号に該当するとした原査定は、妥当でなく、取消しを免れない。
　その他、政令で定める期間内に本願について拒絶の理由を発見しない。
　よって、結論のとおり審決する。